(57)【要約】      （修正有）【課題】紙ナプキンで揚げ物などの油の多い食材を掴むことができるハンディキャッチペーパーを提供する。【解決手段】本体１の内側は油をはじく耐油紙ナプキン３を設け、外側に紙ナプキン２を設ける。内側の油をはじく耐油紙ナプキン３と外側の紙ナプキン２は二重構造になっているので、外側紙ナプキン２の裏面と筒袋ガード部４の裏面の間には空間部が設けられているので、手袋のように指を両端側に設けた切り込み部７より、片方には親指８をもう一方には残りの指９をを挿入出来るように設けてある。油をはじく耐油紙ナプキン２、即ち食材５の受け口は、切り込み部７から空間部に指を挿入することで開閉するように設け、開いた状態の時には筒袋ガード部４を形成する。【選択図】図１
2018193633.tif 000002
【特許請求の範囲】
【請求項１】
図１に示すように、本体（１）は外側の紙ナプキン(２)と内側の油をはじく耐油紙ナプキン(３)とを重ね合わせて二重構造の一枚の紙になっていて、本体(１)の内側は油をはじく耐油紙ナプキン(３)を設け、外側に紙ナプキン(２)を設け、外側の紙ナプキン(２)の材質は紙で形成し、油をはじく耐油紙ナプキン(３)の材質は例えばフッ素樹脂加工によるコーティング加工をした素材とし、このことにより外側には油を通さないようになっており、本体(１)を開いた時の内側には筒袋ガード部(４)を設け、素材は油をはじく耐油紙ナプキン(３)で形成され形状は筒袋に形成しこれを筒袋ガード部(４)とし、この筒袋ガード部(４)に食材(５)を入れて掴み、内側の油をはじく耐油紙ナプキン(３)と外側の紙ナプキン(２)は二重構造になっているので、外側紙ナプキン(２)の裏面と筒袋ガード部(４)の裏面の間には空間部(６)が設けられているので、手袋のように指を両端側に設けた切り込み部(７)より、片方には親指(８)をもう一方には残りの指(９)をを挿入出来るように設けてあり油をはじく耐油紙ナプキン(２)即ち食材(５)の受け口は、切り込み部(７)から空間部(６)に指を挿入することで開閉するように設け、開いた状態の時には筒袋ガード部(４)を形成する。
以上のように構成されたハンディーキャッチペーパー。
【発明の詳細な説明】
【技術分野】
【０００１】
本発明は、食材を掴み、待ちながら食べるのに適した筒状の手袋型の紙ナプキンで、内側は耐油紙ナプキンで外側は紙ナプキンである。
【背景技術】
【０００２】
ＫＦＣのチキン用手袋「フィンガーナップ」という商品は存在する。
外食産業の店舗において食材をつまんで食するような場合に用いられる指挿入具(特許文献１)が知られている。
【先行技術文献】
【特許文献】
【０００３】
【特許文献１】特開２０１３-７６１９４号公報
【発明の概要】
【発明が解決しようとする課題】
【０００４】
その為に次のような課題があった。
(イ)特許文献１のフィンガーナップは、油やタレや食材のカスがこぼれるという問題がある。
(ロ)紙ナプキンで、例えば揚げ物などの油の多い食材を包むと、食材に紙がくっついてしまうことがある。
(ハ)紙ナプキンで食材を包むと食材が滑ってしまうことがある。
(二)紙ナプキンでは開閉して食材を掴む事ができない。
【課題を解決するための手段】
【０００５】
(イ)図１に示すように、本体(１)は外側の紙ナプキン(２)と内側の油をはじく耐油紙ナプキン(３)とを重ね合わせ二重構造の１枚の紙になっている。
(ロ)本体(１)の内側は油をはじく耐油紙ナプキン(３)を設け、外側に紙ナプキン(２)を設ける。
(ハ)外側の紙ナプキン(２)の材質は紙で形成し、油をはじく耐油紙ナプキン(３)の材質は、例えばフッ素樹脂加工によるコーティング加  工をした素材としている。このことにより外側には油を通さないようになっている。
(二)本体(１)を開いた時の内側には筒袋ガード部(４)を設け、素材は油をはじく耐油紙ナプキン(３)で形成され形状は袋状に形成し筒  袋ガード部(４)とする。この筒袋ガード部(４)に食材(５)を入れて掴む。
(ホ)内側の油をはじく耐油紙ナプキン(３)と外側の紙ナプキン(２)は二重構造になっているので、外側紙ナプキン(２)の裏面と筒袋ガー  ド部(４)の裏面の間には空間部(６)が設けられているので、手袋のように指を両端側に設けた切り込み部(７)より、片方には親指(８)  をもう一方には残りの指(９)をを挿入出来るように設けてある。
(ヘ)油をはじく耐油紙ナプキン(２)即ち食材(５)の受け口は、切り込み部(７)から空間部(６)に指を挿入することで開閉するように設け、  開いた状態の時には筒袋ガード部(４)を形成する。
【発明の効果】
【０００６】
(イ)内側の耐油紙ナプキンにはフッ素樹脂加工を施すことで油をはじくことが出来る。
(ロ)手袋上になっていて開閉ができるので食材をしっかり掴むことが出来る。
(ハ)受け口が袋状になっているので、カスや液などは垂れない。
【図面の簡単な説明】
【０００７】
【図１】本発明の使用状態図
【図２】本発明の本体に指を挿入した状態図
【図３】本発明の正面斜視図
【図４】本発明の背面斜視図
【図５】本発明の本体を底面より見た斜視図
【発明を実施するための形態】
【０００８】
以下本発明の実施の形態について説明する
(イ)図１に示すように、本体（１）は外側の紙ナプキン(２)と内側の油をはじく耐油紙ナプキン(３)とを重ね合わせて二重構造の一枚の紙  になっている。
(ロ)本体(１)の内側は油をはじく耐油紙ナプキン(３)を設け、外側に紙ナプキン(２)を設ける。
(ハ)外側の紙ナプキン(２)の材質は紙で形成し、油をはじく耐油紙ナプキン(３)の材質は例えばフッ素樹脂加工によるコーティング加工  をした素材としている。このことにより外側には油を通さないようになっている。
(二)本体(１)を開いた時の内側には筒袋ガード部(４)を設け、素材は油をはじく耐油紙ナプキン(３)で形成され形状は筒袋に形成しこれ  を筒袋ガード部(４)とする。この筒袋ガード部(４)に食材(５)を入れて掴む。
(ホ)内側の油をはじく耐油紙ナプキン(３)と外側の紙ナプキン(２)は二重構造になっているので、外側紙ナプキン(２)の裏面と筒袋ガー  ド部(４)の裏面の間には空間部(６)が設けられているので、手袋のように指を両端側に設けた切り込み部(７)より、片方には親指(８)  をもう一方には残りの指(９)をを挿入出来るように設けてある。
(ヘ)油をはじく耐油紙ナプキン(２)即ち食材(５)の受け口は、切り込み部(７)から空間部(６)に指を挿入することで開閉するように設け、  開いた状態の時には筒袋ガード部(４)を形成する。
【実施例】
【０００９】
本発明を使用するときは、
(イ)本体(１)の切り込み部(７)から空間部(６)に片方に親指(８)もう片方に残りの指(９)を入れて開き、開いた筒袋ガード部(４)に食材(５)  をおさめて保持する。
食材とは、例えば、チキンやポテトやハンバーガー等がある
(ロ)指の力で開閉することにより本体内側の筒袋ガード部(４)が開口される。
(ハ)油をはじく紙ナプキン(３)側は筒袋ガード部(４)が形成され、食材(５)がこぼれたり、食材が落下するような事はない。
(ニ)使用する前の本体(１)は折り畳んだ状態で保管できるので、収納にかさばらない。
【符号の説明】
【００１０】
１  本体
２  紙ナプキン
３  耐油紙ナプキン
４  筒袋ガード部
５  食材
６  空間部
７  切り込み部
８  親指
９  残りの指
【図１】
2018193633.tif 000003
【図２】
2018193633.tif 000004
【図３】
2018193633.tif 000005
【図４】
2018193633.tif 000006
【図５】
2018193633.tif 000007